(57)【要約】【課題】球面収差の補正を行えるように光軸方向に移動可能に設けられる可動レンズの移動基準となる基準位置を、簡易且つ安価な構成で検出できる光ピックアップ装置を提供する。【解決手段】光ピックアップ装置１においては、コリメートレンズ４は、球面収差の補正を行えるように光軸方向に移動可能に設けられ、光源２から出射される光ビームの光ビームパワーを検出する第２光検出器１０は、光源２から出射されてコリメートレンズ４を通過する光ビームの一部を受光するように設けられる。そして、コリメートレンズ４の移動によって光ビームの収束発散状態が変更されて第２光検出器１０における検出状況が変化することを利用して、コリメートレンズ４の移動基準となる基準位置の検出が行われる。【選択図】図１
2008293601.tif 000002
【特許請求の範囲】
【請求項１】
光源と、
前記光源から出射される光ビームを光記録媒体の記録層に集光する対物レンズと、
前記光源と前記対物レンズとの間に配置され、光軸方向に移動可能な可動レンズと、
前記光源から出射される光ビームの光ビームパワーを検出する光検出手段と、
を備える光ピックアップ装置において、
前記可動レンズは、光軸方向に移動することによって通過する光ビームの収束発散状態を変更可能に設けられ、
前記光検出手段は、前記光源から出射されて前記可動レンズを通過する光ビームの一部を受光するように設けられ、
前記可動レンズの移動によって光ビームの収束発散状態が変更されて前記光検出手段における検出状況が変化することを利用して、前記可動レンズの移動基準となる基準位置の検出が行われることを特徴とする光ピックアップ装置。
【請求項２】
前記可動レンズを移動した場合に、前記光検出手段で検出される光ビームの光量は、前記可動レンズの移動とともに変化し、且つ、前記可動レンズの可動範囲内でピークを示すように設けられ、
前記基準位置は、前記ピークが得られる場合の前記可動レンズの位置とされることを特徴とする請求項１に記載の光ピックアップ装置。
【請求項３】
前記可動レンズを可動範囲内で移動した場合に、前記光検出手段で検出される光ビームのビームスポット径が最小径に向かって徐々に小さくなり、前記最小径に達した後は徐々に大きくなるという変化が見られるように設けられ、
前記光検出手段に形成される受光領域は、前記最小径のビームスポットと同一形状を有する第１の受光領域と該第１の受光領域を取り囲む第２の受光領域とから成り、
前記基準位置は、前記第１の受光領域領域でのみ光ビームが受光される場合の前記可動レンズの位置とされることを特徴とする請求項１に記載の光ピックアップ装置。
【請求項４】
前記可動レンズはコリメートレンズであることを特徴とする請求項１から３のいずれかに記載の光ピックアップ装置。
【請求項５】
前記光記録媒体にはブルーレイディスクが含まれることを特徴とする請求項１から４のいずれかに記載の光ピックアップ装置。
【発明の詳細な説明】
【技術分野】
【０００１】
本発明は、光記録媒体に光ビームを照射して、情報の読み取りと書き込みを可能とする光ピックアップ装置に関し、特に、球面収差を補正するために光軸方向に移動可能とされる可動レンズを有する光ピックアップ装置の構成に関する。
【背景技術】
【０００２】
コンパクトディスク（以下、ＣＤという。）やデジタル多用途ディスク（以下、ＤＶＤという。）といった光記録媒体が普及している。更に、近年、光記録媒体の情報量を増やすために、光記録媒体で記録できる情報を高密度化する研究が進められ、ブルーレイディスク（以下、ＢＤという。）等の情報を高密度に記録できる光記録媒体も実用化され始めている。このような光記録媒体からの情報の読み取り、光記録媒体への情報の書き込みは、光ピックアップ装置を用いて行われる。
【０００３】
ところで、ＢＤは、その規格によって記録層を２つ有する２層ディスクが標準となっており、記録層の位置によって記録層を保護するために設けられる透明カバー層（ここでは、記録層と記録層の間に設けられる中間層についても透明カバー層と表現している）の厚みが異なったものとなる。このために、ＢＤに対応する光ピックアップ装置においては、透明カバー層の厚みの違いによって生じる球面収差の発生が問題となる。
【０００４】
そして、ＢＤに対応する光ピックアップ装置においては、光記録媒体の記録層に集光する光ビームのビームスポットを小さく絞り込む必要があるために、波長の短いレーザ光（例えば波長４０５ｎｍ）を使用し、開口数（ＮＡ）の大きな対物レンズ（例えばＮＡ＝０．８５）を使用する。このために、ＢＤに対応する光ピックアップ装置では、対物レンズのＮＡの４乗に比例して発生する球面収差の影響が大きくなり、球面収差を補正する機構が必須となる。
【０００５】
このような球面収差を補正する機構については従来多数の提案があり、例えば、光軸方向に移動する少なくとも１つの可動レンズを有するエキスパンダレンズを光ピックアップ装置の光学系に配置し、可動レンズを光軸方向に移動させて球面収差の補正を行う機構が提案されている（例えば、特許文献１、２参照）。また、同様に可動レンズを用いて球面収差の補正を行う機構として、光ピックアップ装置の光学系に配置されるコリメートレンズを光軸方向に移動させる技術も知られている。
【０００６】
ところで、このように可動レンズを移動することによって球面収差の補正を行う場合には、例えば特許文献１や２に示されるように、可動レンズの基準位置を検出し、この基準位置からの距離をステッピングモータのパルス数によって管理することが行われる。特許文献１の構成では、可動レンズの基準位置を検出するために、遮蔽板と、発光部と受光部を有する位置センサ（例えば、フォトインタラプタ）と、を用いる構成となっている。
【０００７】
しかし、特許文献１の構成の場合には、例えばフォトインタラプタ等の位置センサを別途準備する必要があるために、光ピックアップ装置の製造コストが高くなるという問題があった。このような点を考慮して、特許文献２の光ピックアップ装置は、可動レンズと一体的に光軸方向に移動する遮蔽板と、光源から出射されるレーザ光の少なくとも一部を前記遮蔽板で遮った時に、可動レンズの移動基準となる基準位置を検出する光検出手段と、備え、前記光検出手段が、前記光源と前記光源から出射されるレーザ光を絞り込んで信号面に照射する対物レンズとの間に予め設けられた光検出器を兼用する構成としている。そして、これによれば、発光部と受光部とを有する、フォトインタラプタ等の位置センサが不要となるために、光ピックアップ装置を安価に提供することができるとしている。
【特許文献１】特開２００３−４５０６８号公報
【特許文献２】特開２００６−２４４６４６号公報
【発明の開示】
【発明が解決しようとする課題】
【０００８】
しかしながら、特許文献２の構成の場合には、可動レンズと一体的に移動する遮蔽板を設け、レーザ光源のレーザパワーを検出制御するために予め設けられたフロントモニタ用の光検出器、又は光ディスクの信号面で反射された戻り光を検出するために設けられた戻り光検出用の光検出器のいずれかで、前記遮蔽板がレーザ光を遮るように光ピックアップ装置の光学系を構成する必要がある。このために、光ピックアップ装置の光学系の構成について制約が大きくなり、ビーム分割用のプリズムを余分に配置する必要が生じる等、光ピックアップ装置の光学系の構成が複雑となる場合がある。
【０００９】
以上の問題点を鑑みて、本発明の目的は、球面収差の補正を行えるように光軸方向に移動可能に設けられる可動レンズの移動基準となる基準位置を、遮蔽板を用いることなく、簡易且つ安価な構成で検出できる光ピックアップ装置を提供することである。
【課題を解決するための手段】
【００１０】
上記目的を達成するために本発明は、光源と、前記光源から出射される光ビームを光記録媒体の記録層に集光する対物レンズと、前記光源と前記対物レンズとの間に配置され、光軸方向に移動可能な可動レンズと、前記光源から出射される光ビームの光ビームパワーを検出する光検出手段と、を備える光ピックアップ装置において、前記可動レンズは、光軸方向に移動することによって通過する光ビームの収束発散状態を変更可能に設けられ、前記光検出手段は、前記光源から出射されて前記可動レンズを通過する光ビームの一部を受光するように設けられ、前記可動レンズの移動によって光ビームの収束発散状態が変更されて前記光検出手段における検出状況が変化することを利用して、前記可動レンズの移動基準となる基準位置の検出が行われることを特徴とする。
【００１１】
この構成によれば、光ピックアップ装置に光ビームパワーを検出制御するために備えられる光検出手段を用いて、球面収差を補正が行えるように光軸方向に移動可能とされる可動レンズの基準位置を検出する構成であるために、フォトインタラプタ等の位置センサを別途設ける必要がない。また、可動レンズを移動することによって、それを通過する光ビームの収束発散状態が変化して光検出手段における検出状況が変化することを利用して可動レンズの基準位置を検出する構成であるために、従来の構成で見られるような遮蔽板を設ける必要がない。従って、光軸方向に移動可能に設けられる可動レンズの移動基準となる基準位置を、簡易且つ安価な構成で検出できる光ピックアップ装置の提供が可能である。
【００１２】
また、本発明は、上記構成の光ピックアップ装置において、前記可動レンズを移動した場合に、前記光検出手段で検出される光ビームの光量は、前記可動レンズの移動とともに変化し、且つ、前記可動レンズの可動範囲内でピークを示すように設けて、前記基準位置は、前記ピークが得られる場合の前記可動レンズの位置とされることとしても構わない。
【００１３】
この構成において、光検出手段で検出される光ビームの光量がピークを示す場合の可動レンズの位置は、光ピックアップ装置の構成が一定であれば変動するものではない。従って、可動レンズを移動して、光検出手段で受光される光ビームの光量がピークを示す場合の可動レンズの位置を基準位置とすることができる。
【００１４】
また、本発明は、上記構成の光ピックアップ装置において、前記可動レンズを可動範囲内で移動した場合に、前記光検出手段で検出される光ビームのビームスポット径が最小径に向かって徐々に小さくなり、前記最小径に達した後は徐々に大きくなるという変化が見られるように設け、前記光検出手段に形成される受光領域は、前記最小径のビームスポットと同一形状（サイズも同一の意味である）を有する第１の受光領域と該第１の受光領域を取り囲む第２の受光領域とから成るようにし、前記基準位置は、前記第１の受光領域領域でのみ光ビームが受光される場合の前記可動レンズの位置とされることとしても構わない。
【００１５】
この構成において、光検出手段で検出される光ビームのビームスポット径が最小径となる場合の可動レンズの位置は変動するものではない。従って、光検出手段で光ビームのビームスポット径が最小径となる可動レンズの位置、すなわち、第１の受光領域でのみ光ビームが受光される場合の可動レンズの位置を基準位置とすることができる。そして、この構成の場合、光検出器で受光した光ビームの光量がピークとなる位置を探す処理が不要であるために、光検出手段で受光される光ビームの光量がピークを示す場合の可動レンズの位置を基準位置とする上述の構成に比べて、基準位置を検出する構成を簡易なものとできる。
【００１６】
また、本発明は、上記構成の光ピックアップ装置において、前記可動レンズはコリメートレンズであることとしても良い。コリメートレンズの移動によって球面収差の補正を行う構成は、エキスパンダレンズを用いて球面収差の補正を行う構成よりも光学系の構成が簡易となり好ましい。そして、このようなコリメートレンズを移動して球面収差の補正を行う構成の場合にも、コリメートレンズの基準位置を検出する必要があり、本発明の構成によって基準位置を検出することが可能で好ましい。
【００１７】
また、本発明は、上記構成の光ピックアップ装置において、前記光記録媒体にはブルーレイディスクが含まれることとしても良い。現状ＢＤにおいて、特に球面収差の問題が大きく、球面収差を補正する機構が必須となっている。従って、ＢＤに対応する光ピックアップ装置では、光軸方向に移動可能に設けられる可動レンズの移動基準となる基準位置を、簡易且つ安価な構成で検出できるという効果が特に有効となる。
【発明の効果】
【００１８】
本発明の光ピックアップ装置によれば、球面収差の補正を行えるように光軸方向に移動可能に設けられる可動レンズの移動基準となる基準位置を、遮蔽板を用いることなく、簡易且つ安価な構成で検出することが可能となる。
【発明を実施するための最良の形態】
【００１９】
以下に本発明の実施形態について図面を参照しながら説明する。なお、ここで示す実施形態は一例であり、本発明はここに示す実施形態に限定されるものではない。
【００２０】
（第１実施形態）
図１は、第１実施形態の光ピックアップ装置の構成を示す概略図である。第１実施形態の光ピックアップ装置１は、ＢＤ（光記録媒体２０）に記録される情報の読み出し及びＢＤへの情報の書き込みを可能に設けられている。図１に示すように光ピックアップ装置１の光学系は、光源２と、偏光ビームスプリッタ３と、コリメートレンズ４と、立ち上げミラー５と、１／４波長板６と、対物レンズ７と、第１光検出器８と、集光レンズ９と、第２光検出器１０と、を備える。
【００２１】
光源２は、ＢＤ用の波長４０５ｎｍ帯のレーザ光を出射する半導体レーザである。この光源２は、光源制御部１３によってその駆動を制御される。光源制御部１３は、光記録媒体２０の情報の読み出しや光記録媒体２０への情報の書き込みを行う場合には、光源２から出射されるレーザ光のレーザパワーが一定となるようにＡＰＣ（Auto Power Control）駆動によって、光源２の駆動を制御する。なお、光源制御部１３は、光源２から出射されるレーザ光のレーザパワーに関する情報は、いわゆるフロントモニタ用の光検出器として機能する第２光検出器１０から受け取る。
【００２２】
なお、本実施形態では、光源の数を１つとしているが、光ピックアップ装置がＢＤ以外の光記録媒体（例えばＤＶＤ、ＣＤ）にも対応する場合には、適宜光源の数を増やしても構わない。
【００２３】
偏光ビームスプリッタ３は、偏光方向が互いに直交する２つの直線偏光のうち一方を透過させ、他方を反射させる機能を有する。光ピックアップ装置１では、往路においてはレーザ光が透過され、復路においてはレーザ光が反射されるように構成されている。
【００２４】
コリメートレンズ４は、その位置を光軸方向に移動可能に設けられて、コリメートレンズ４を通過するレーザ光の収束発散状態を変更可能とする。光ピックアップ１が対応可能な光記録媒体２０であるＢＤは、その規格として記録層２０ａが２つ設けられる２層ディスクである（図１には、便宜的に記録層が１層しか示していないが、記録層は２層である）。このために、上述のように、透明カバー層２０ｂの厚みが記録層２０ａごとに異なり、光ピックアップ装置１でＢＤに記録される情報を読み出す場合等に球面収差の発生が問題となる。そのため、コリメートレンズ４を光軸方向に移動可能に設けて、対物レンズ７に入射するレーザ光の収束発散状態を変更することによって球面収差の補正を行えるようにしている。
【００２５】
コリメートレンズ４は、コリメートレンズ駆動ユニット１１によって光軸方向に移動可能となっている。図２は、光ピックアップ装置１が備えるコリメートレンズ駆動ユニット１１の構成を示す概略平面図である。
【００２６】
図２に示すように、コリメートレンズ駆動ユニット１１は、可動ホルダ２１と、２本のガイドシャフト２２と、リードナット２３と、スクリュ２４と、ステッピングモータ２５と、を備える。コリメートレンズ４を保持する可動ホルダ２１は、２本のガイドシャフト２２に摺動可能に支持されている。また、可動ホルダ２１にはリードナット２３が取り付けられており、このリードナット２３にはスクリュ２４が噛合されている。スクリュ２４はステッピングモータ２５によって回転可能に設けられている。
【００２７】
このため、ステッピングモータ２５によってスクリュ２４が回転されると、可動ホルダ２１がスクリュ２４の回転方向にしたがってガイドシャフト２２を摺動し、コリメートレンズ４の位置が移動される。この際、可動レンズ２１の移動量は、ステッピングモータ２５を用いているために、コリメートレンズ４の移動基準となる基準位置を設けておけば、その基準位置からのステップ量で正確に管理できる。なお、コリメートレンズ駆動ユニット１１の制御は、コリメートレンズ駆動制御部１２によって行われる。また、コリメートレンズ４の移動基準となる基準位置については後述する。
【００２８】
図１に戻って、立ち上げミラー５は、コリメートレンズ４から送られてきたレーザ光の一部を反射して光記録媒体２０の記録層２０ａと直交する方向のレーザ光とする。また、コリメートレンズ４から送られてきた残りの一部を透過して、第２光検出器１０側に導く。
【００２９】
１／４波長板６は、直線偏光が入射した場合には円偏光となるように配置されている。また、１／４波長板６に入射した円偏光は直線偏光に変換される。なお、この１／４波長板６は、偏光ビームスプリッタ３と協同して光アイソレータとして機能する。
【００３０】
対物レンズ７は入射したレーザ光を光記録媒体２０の記録層２０ａに集光する。対物レンズ７は、図示しないアクチュエータによって、光軸方向と平行なフォーカス方向と、光記録媒体２０の半径方向と平行な方向とに移動可能とされている。これにより、対物レンズ７は、その焦点を光記録媒体２０の記録層２０ａに常に合致させることが可能となり、また、対物レンズ７によって集光されて形成されるビームスポットが光記録媒体２０に形成されるトラックに常に追従可能となる。
【００３１】
光記録媒体２０の記録層２０ａに集光したレーザ光は反射されて、対物レンズ７を通過し、１／４波長板６によって光源２から出射されたレーザ光（直線偏光）と偏光方向が直交する直線偏光とされ、立ち上げミラー５で反射され、コリメートレンズ４を通過後、偏光ビームスプリッタ３で反射されて第１光検出器８に集光する。
【００３２】
第１光検出器８は、受光領域（図示せず）を備え、光信号を電気信号に変換する。第１光検出器８で変換された電気信号は、図示しない信号処理部に送られ、そこで、ＲＦ信号、フォーカスエラー信号（ＦＥ信号）、トラッキングエラー信号（ＴＥ信号）等が生成される。ＲＦ信号によって情報の読み出しが行われ、ＦＥ信号、ＴＥ信号に基づいてサーボ制御（フォーカシング制御、トラッキング制御）が行われる。
【００３３】
集光レンズ９は、光源２から出射されて立ち上げミラー５を透過したレーザ光を第２光検出器１０に集光する機能を有する。
【００３４】
第２光検出器１０は、例えば円形状の受光領域（図示せず）を有し、そこで光源２から出射されたレーザ光を受光し、光源２から出射されるレーザ光のレーザパワーのレベルを検出する。検出されたレーザパワーのレベルは光源制御部１３に送られ、上述のように、光記録媒体２０から情報を読み出す場合や、光記録媒体２０に情報を記録する場合には、光源２から出射されるレーザ光のレーザパワーが一定となるように光源２は制御される。
【００３５】
また、第２光検出器１０は、光軸方向に移動可能に設けられるコリメートレンズ４の移動基準となる基準位置を検出するためにも使用される。このために、図３に示すように、第２光検出器１０の受光領域で検出される光ビームの光量（図３では、受光率で示している）は、コリメートレンズ４を可動範囲の一方端から他端に移動させた場合に、その移動と共に変化し、且つコリメートレンズ４の可動範囲内でピークを示すように、光ピックアップ装置１は設計されている。
【００３６】
具体的には、例えば、コリメートレンズ４を可動範囲の中央部近傍に配置した場合に、第２光検出器１０に形成されるビームスポットが最も絞られた状態となる（最小径となる）ように光ピックアップ装置１の光学系を構成し、円形に形成される受光領域の径を、前述の最も絞られたビームスポットのスポット径と略同一となるように設計する。このようにすれば、コリメートレンズ４の移動によって、コリメートレンズ４を通過するレーザ光の収束発散状態が変化して、第２光検出器１０に形成されるビームスポットの大きさが変化することにより、第２光検出器１０における受光率が変化する。そして、受光率のピークも得られる。
【００３７】
そして、このようにして得られる受光率が最大となる場合のコリメートレンズ４の位置は一定であるために、この受光率が最大となる場合のコリメートレンズ４に位置を、移動基準となる基準位置とすることができる。従って、第２光検出器１０を用いて受光率がピークとなる場合のコリメートレンズの位置を検出することで、光軸方向に移動可能に設けられるコリメートレンズ４の移動基準となる基準位置を検出できる。
【００３８】
なお、図３は、光ピックアップ装置１において、コリメートレンズ４位置の変化に対する第２光検出器１０での受光率の変化を示すグラフである。第２光検出器１０での受光率とは、光源２から出射されたレーザ光の光量を１とした場合における割合を百分率で表したものである。図３のコリメートレンズ位置におけるゼロ位置は、適当に決定したものであり、基準位置を示すものではなく、このゼロ位置を基準にプラス方向は、コリメートレンズ４を立ち上げミラー５に近づける方向に該当する。また、図３は、本実施形態の場合の一例であり、光学系の構成（光学部材の設計や配置など）によって、コリメートレンズ位置の変化に対する第２光検出器での受光率の変化の様子は変わる。
【００３９】
また、本実施形態においては、光ピックアップ装置１が備える第２光検出器１０の受光領域を円形としているが、これに限定される趣旨ではなく、例えば、図４に示すように、４分割の受光領域（Ａ〜Ｄは独立の受光領域）としても構わない。このようにすれば、例えば光ピックアップ装置１の組み立て時において、第２光検出器１０の光軸に対するずれの調整を容易に行い易く、第２光検出器１０を正確な位置に配置し易い。
【００４０】
次に、本実施形態の光ピックアップ装置１において、コリメートレンズ４の移動基準となる基準位置を検出する場合のフローを、図５を参照しながら説明する。コリメートレンズ４の基準位置の検出は、光ピックアップ装置１全体の制御を行うコントローラ１４からの指令によって行われ、例えば、光記録媒体２０の再生や記録を開始する前に毎回行われる。なお、図５は、コリメートレンズ４の移動基準となる基準位置を検出するフローを示すフローチャートである。
【００４１】
まず、コントローラ１４からコリメートレンズ駆動制御部１２に指令が出され、コリメートレンズ４が可動範囲の一方端に移動される（ステップＳ１）。なお、この時点では、コリメートレンズ４の移動基準となる基準位置は、まだ検出されていないので、例えば、以前に検出した基準位置を用いる等すれば良い。この段階では、可動範囲の端部に正確に移動される必要はない。
【００４２】
次に、コントローラ１４からの指令により、光源制御部１３は、光源２に所定の電流を供給し、電流値が一定となるように光源２を制御する（ステップＳ２）。この段階で、光源２をＡＰＣ駆動すると、第２光検出器１０で検出される光量が一定となり、コリメートレンズ４の基準位置を決定できなくなるので、電流一定と成るように制御する。
【００４３】
光源２に所定の電流が供給されることによりレーザ光が出射され、第２光検出器１０で検出される光量データの収集が開始される（ステップＳ３）。この光量データの収集はコントローラ１４によって行われる。そして、コントローラ１４からコリメートレンズ駆動制御部１２に指令が出され、コリメートレンズ４の移動が開始され（ステップＳ４）、コリメートレンズ４が可動範囲の他端まで移動される（ステップＳ５）。なお、可動範囲の他端までの移動したか否かは、以前に検出した基準位置を基準に判断すれば良い。
【００４４】
次に、コントローラ１４は、検出された光量データを用いて、光量がピークを示す場合のコリメートレンズ４の位置を見つけ出し、この位置を基準位置として検出する（ステップＳ６）。この後は、ここで検出された基準位置を基準にコリメートレンズ４の位置を移動する。
【００４５】
また、コリメートレンズ４の移動基準となる基準位置が検出された後は、光記録媒体２０からの情報の読み出しや光記録媒体２０への情報の書き込みが行われるために、コントローラ１４からの指令により、光源制御部１３は、光源２の駆動をＡＰＣ駆動に切換える（ステップＳ７）。
【００４６】
なお、本実施形態では、以前に検出した基準位置を基準としてコリメートレンズ４を可動範囲の一方端から他端まで移動する構成のために、コリメートレンズ４を可動させる範囲が不正確となり、光量がピークを示す場合のコリメートレンズ４の位置が検出できない場合もあり得る。このような場合には、ステップＳ６の後に、以前に検出した基準位置に修正を加えて、再度ステップＳ１からステップＳ６を行うようにしても構わない。
【００４７】
（第２実施形態）
第２実施形態の光ピックアップ装置は、第１実施形態の光ピックアップ装置１と比べて、第２光検出器１０の構成、及びコリメートレンズ４の移動基準となる基準位置を検出する方法が異なる以外は、基本的に同様である。従って、以下ではこの異なる点についてのみ説明する。また、第１実施形態と重複する部分には同一の符号を付して説明する。
【００４８】
図６は、第２実施形態の光ピックアップ装置が備える第２光検出器３０の構成を示す概略平面図である。図６に示すように、第２光検出器３０には、円形状の第１の受光領域３０ａと、第１の受光領域３０ａと同心状に形成され、第１の受光領域３０ａを取り囲む第２の受光領域３０ｂと、が形成される。第１の受光領域３０ａと第２の受光領域３０ｂとは電気的に接続されておらず、両者は独立している。
【００４９】
第２実施形態の光ピックアップ装置においても、第１実施形態の場合と同様に、例えばコリメートレンズ４を可動範囲の中央部近傍に配置した場合に、第２光検出器３０に形成されるビームスポットが最も絞られた状態となる（最小径となる）ように光ピックアップ装置１の光学系を構成している。そして、第２光検出器３０に円形状に形成される第１の受光領域３０ａの径は、前述の最も絞られたビームスポット（略円形）のスポット径と略同一となるように設計されている。一方、第２の受光領域３０ｂの径は、第１の受光領域３０ａより大きい適当な径とされている。
【００５０】
なお、本実施形態では、第１の受光領域３０ａを円形状に形成しているが、これに限定される趣旨ではない。例えば、前述の最小径のビームスポットが内接する多角形としても良いし、その他、前述の最小径のビームスポットと少なくとも一部が接し、該ビームスポットを取り囲むような形状としても構わない。また、第２の受光領域３０ｂの形状も、本実施形態と異なる形状としても構わない。
【００５１】
このように第２光検出器３０を設計した場合、コリメートレンズ４の移動によって、第２光検出器３０に形成されるビームスポットが最小径となるまでは、第１の受光領域３０ａと第２の受光領域３０ｂとの両方でレーザ光が検出される。一方、コリメートレンズ４が所定の位置に移動して、第２光検出器３０に形成されるビームスポットが最小径となると、第１の受光領域３０ａのみでレーザ光が検出されることとなる。
【００５２】
そして、第１の受光領域３０ａのみでレーザ光が検出される場合のコリメートレンズ４の位置は一定であるために、この場合のコリメートレンズ４の位置を、移動基準となる基準位置とすることができる。従って、第２光検出器３０を用いて第１の受光領域３０ａのみでレーザ光が検出される場合のコリメートレンズ４の位置を検出することで、光軸方向に移動可能に設けられるコリメートレンズ４の移動基準となる基準位置を検出できる。
【００５３】
次に、本実施形態の光ピックアップ装置において、コリメートレンズ４の移動基準となる基準位置を検出する場合のフローを、図７を参照しながら説明する。コリメートレンズ４の基準位置の検出は、光ピックアップ装置全体の制御を行うコントローラ１４からの指令によって行われ、例えば、光記録媒体２０の再生や記録を開始する前に毎回行われる。なお、図７は、本実施形態の光ピックアップ装置における、コリメートレンズ４の移動基準となる基準位置を検出するフローを示すフローチャートである。
【００５４】
まず、コントローラ１４からコリメートレンズ駆動制御部１２に指令が出され、コリメートレンズ４が可動範囲の一方端に移動される（ステップＳ１１）。なお、この時点では、コリメートレンズ４の移動基準となる基準位置は、まだ検出されていないので、以前に検出した基準位置を用いる等すれば良い。この点は、第１実施形態の場合と同様である。
【００５５】
次に、光源２からレーザ光が出射され、コントローラ１４によって第２光検出器３０におけるレーザ光の検出状況の監視が開始される（ステップＳ１２）。具体的には、第１の受光領域３０ａ及び第２の受光領域３０ｂでレーザ光が検出された場合（ある閾値より信号が大きくなった場合等）にはＯＮとし、レーザ光が検出されない場合はＯＦＦとし、この状態をコリメートレンズ４の位置と対応付けて監視するようにする。
【００５６】
その後、コントローラ１４からコリメートレンズ駆動制御部１２に指令が出され、コリメートレンズ４の移動が開始され（ステップＳ１３）、コリメートレンズ４が可動範囲の他端まで移動される（ステップＳ１４）。なお、他方の端部までの移動したか否かは、以前に検出した基準位置を基準に判断すれば良く、第１実施形態と同様である。
【００５７】
次に、コントローラ１４は、監視結果に基づいて、第１の受光領域３０ａがＯＮ、第２の受光領域３０ｂがＯＦＦとなる場合（すなわち、第１の受光領域３０ａのみでレーザ光が受光される場合）のコリメートレンズ４の位置を見つけ出し、この位置を基準位置として検出する（ステップＳ１５）。この後は、ここで検出された基準位置を基準にコリメートレンズ４の位置を移動する。
【００５８】
このように構成する場合、コントローラ１４は、第１実施形態のように第２光検出器１０で検出された光量のピークを検出する処理を行わなくて済むために、コリメートレンズ４の移動基準となる基準位置を検出する構成を簡易なものとできる。
【００５９】
（その他）
以上の第１実施形態及び第２実施形態においては、コリメートレンズの基準位置を検出する構成を示したが、コリメートレンズの場合に限定される趣旨ではない。いわゆるフロントモニタ用の光検出器（第２光検出器１０、３０）より光源に近い側に配置され、可動することによって光源から出射されたレーザ光の収束発散状態を変化させる可動レンズの場合に、本発明は適用可能である。
【００６０】
また、以上に示した実施形態では、ＢＤに対応する光ピックアップ装置を対象とした。しかし、球面収差は、複数の記録層を有する他の光記録媒体（ＨＤ−ＤＶＤなど）の場合にも問題になる場合がある。また、透明カバー層の厚みが異なる複数種類の光記録媒体を互換する光ピックアップ装置でも問題となるものである。従って、ＢＤに対応する光ピックアップ装置以外でも、球面収差を補正するために可動レンズを備える場合があり、このような光ピックアップ装置にも本発明は適用される。
【産業上の利用可能性】
【００６１】
本発明の光ピックアップ装置によれば、球面収差の補正を行えるように光軸方向に移動可能に設けられる可動レンズの移動基準となる基準位置を、簡易且つ安価な構成で検出することが可能となる。従って、本発明は光ピックアップ装置の分野で有用である。
【図面の簡単な説明】
【００６２】
【図１】は、第１実施形態の光ピックアップ装置の構成を示す概略図である。
【図２】は、第１実施形態の光ピックアップ装置が備えるコリメートレンズ駆動ユニットの構成を示す概略平面図である。
【図３】は、第１実施形態の光ピックアップ装置において、コリメートレンズ位置の変化に対する第２光検出器での受光率の変化を示すグラフである。
【図４】は、第１実施形態の光ピックアップ装置が備える第２光検出器の変形例を説明するための図である。
【図５】は、第１実施形態の光ピックアップ装置におけるコリメートレンズの移動基準となる基準位置を検出するフローを示すフローチャートである。
【図６】は、第２実施形態の光ピックアップ装置が備える第２光検出器の構成を示す概略平面図である。
【図７】は、第２実施形態の光ピックアップ装置におけるコリメートレンズの移動基準となる基準位置を検出するフローを示すフローチャートである。
【符号の説明】
【００６３】
１          光ピックアップ装置
２          光源
４          コリメートレンズ（可動レンズ）
７          対物レンズ
１０、３０  第２光検出器（光検出手段）
２０        光記録媒体
２０ａ      記録層
３０ａ      第１の受光領域
３０ｂ      第２の受光領域
【図１】
2008293601.tif 000003
【図２】
2008293601.tif 000004
【図３】
2008293601.tif 000005
【図４】
2008293601.tif 000006
【図５】
2008293601.tif 000007
【図６】
2008293601.tif 000008
【図７】
2008293601.tif 000009